(57)【要約】【課題】小型化を維持しつつ、撮像素子で発生した熱を効率よく放散するとともに、メイン回路基板の熱が撮像素子に伝わりにくくすることが可能な撮像装置を提供すること。【解決手段】撮像素子の受光面の裏面とメイン回路基板との間で、レンズ保持部材の中央の開口を覆うように、断熱部材が配置され、前記断熱部材の前記レンズ保持部材の中央の開口を覆う部分には、断熱部が設けられており、前記メイン回路基板の後方に、前記放熱ダクトが配置する。【選択図】図１
2016133690.tif 000002
【特許請求の範囲】
【請求項１】
装置本体と、前記装置本体に配置されるレンズと、
前記レンズ後方に配置される撮像素子と、
前記装置本体に設けられた吸気口から取り込んだ空気を、前記装置本体に設けられた排気口から、前記装置本体の外部に排気する前記装置本体の内部とは連通しない空気流通路を有する放熱ダクトと、
前記装置本体の内部に配置され、電子部品が実装されたメイン回路基板と、
良熱伝導性部材で形成され、中央に開口を有する前記レンズの保持部材と、
前記レンズの保持部材より熱伝導率の低い材料で形成された断熱部材と、を備え、
前記撮像素子の受光面の裏面と前記メイン回路基板との間で、前記レンズ保持部材の中央の開口を覆うように、前記断熱部材が配置され、
前記断熱部材の前記レンズ保持部材の中央の開口を覆う部分には、断熱部が設けられており、
前記メイン回路基板の後方に、前記放熱ダクトが配置することを特徴とする撮像装置。
【請求項２】
前記メイン回路基板の、前記断熱部材配置側の面に、外部接続端子が実装され、前記断熱部材の一部には、前記メイン回路基板に実装された前記外部接続端子を囲う端子保護部が形成されていることを特徴とする請求項１に記載の撮像装置。
【発明の詳細な説明】
【技術分野】
【０００１】
本発明は、空冷機構を有する撮像装置に関する。
【背景技術】
【０００２】
デジタルビデオカメラやデジタルスチルカメラ等の撮像装置では、近年の小型化の要請により、撮像素子が実装された回路基板や、制御信号や画像信号を処理する電子部品が実装されたメイン回路基板の配置スペースが小さくなっている。そのため、これらの基板が密集状態で配置されている。
【０００３】
一方、高画質化に伴い、撮像素子の消費電力が大きくなり、発熱量も増大している。撮像素子は、一般的に高温になるほど性能が低下するため、撮像素子で発生した熱を放散する必要がある。また、メイン回路基板に実装された電子部品で発生した熱が撮像素子に伝わり、撮像素子の温度を上昇させてしまうことを抑制する必要がある。また、メイン回路基板に実装された電子部品で発生した熱により、メイン回路基板の素子保障温度を超えてしまうことで熱暴走を起こす問題や、外装の温度が高温となり撮影者に不快感を与えるといった問題がある。
【０００４】
そこで、撮像素子で発生した熱を効率よく放散するとともに、メイン回路基板の熱が撮像素子に伝わりにくくする仕組みを提供することを目的とし、装置本体の内部とは連通しない空気流通路を有する放熱ダクトを、撮像素子と電子部品が実装されたメイン回路基板とを備え、放熱ダクトは、撮像素子の受光面の裏面と前記メイン回路基板との間に配置され、かつ撮像素子の側の部材がメイン回路基板の側の部材より熱伝導率の高い部材で形成される構成が提案されている（特許文献１参照）。
【先行技術文献】
【特許文献】
【０００５】
【特許文献１】特開２０１３−９３６９７号公報
【発明の概要】
【発明が解決しようとする課題】
【０００６】
デジタルビデオカメラやデジタルスチルカメラ等の撮像装置のうち、特にレンズ鏡筒部に操作リングが設けられた撮像装置では、左手の平で機器を下側から支えながら、左手の親指と中指でリング操作を行う把持スタイルにて撮影を行う。その際、放熱ダクトの吸排気口を、把持している手で塞がないよう出来るだけ後方に配置することが好ましい。
【０００７】
ところが、上記特許文献１では、放熱ダクトがメイン回路基板より前方に位置するため、放熱ダクトを把持している手で塞がないよう小さな開口のダクトとし本体上側に設けるか、手で塞がない位置までメイン回路基板と放熱ダクトを後退させる必要がある。
【０００８】
前記小さな開口のダクトとする場合、放熱ダクトの排熱能力が低下し、十分な冷却が出来ない恐れがある。また、放熱ダクトの吸排気口を手で塞がない位置までメイン回路基板と放熱ダクトを後退させる場合、本体が光軸方向に大型化する問題がある。
【０００９】
そこで、本発明は、小型化を維持しつつ、撮像素子で発生した熱を効率よく放散するとともに、メイン回路基板の熱が撮像素子に伝わりにくくすることが可能な撮像装置を提供することを目的とする。
【課題を解決するための手段】
【００１０】
上記の目的を達成するために、本発明の撮像装置は、装置本体と、前記装置本体に配置されるレンズと、前記レンズ後方に配置される撮像素子と、前記装置本体に設けられた吸気口から取り込んだ空気を、前記装置本体に設けられた排気口から、前記装置本体の外部に排気する前記装置本体の内部とは連通しない空気流通路を有する放熱ダクトと、前記装置本体の内部に配置され、電子部品が実装されたメイン回路基板と、良熱伝導性部材で形成され、中央に開口を有する前記レンズの保持部材と、前記レンズの保持部材より熱伝導率の低い材料で形成された断熱部材と、を備え、前記撮像素子の受光面の裏面と前記メイン回路基板との間で、前記レンズ保持部材の中央の開口を覆うように、前記断熱部材が配置され、前記断熱部材の前記レンズ保持部材の中央の開口を覆う部分には、断熱部が設けられており、前記メイン回路基板の後方に、前記放熱ダクトが配置することを特徴とする。
【発明の効果】
【００１１】
本発明によれば、小型化を維持しつつ、撮像素子で発生した熱を効率よく放熱することができるとともに、メイン回路基板の熱が撮像素子に伝わりにくくすることが可能な撮像装置の提供を実現できる。
【図面の簡単な説明】
【００１２】
【図１】本実施例にかかる本体の外観斜視図
【図２】本実施例にかかる本体の外観斜視図
【図３】本実施例にかかる本体の外観斜視図
【図４】本実施例にかかる本体の外観側面図
【図５】本実施例にかかる内部構造の要部の斜視図
【図６】本実施例にかかる内部構造を表す分解斜視図
【図７】本実施例にかかる内部構造の要部の斜視図
【図８】本実施例にかかる内部構造を表す分解斜視図
【図９】本実施例にかかる内部構造を表す分解斜視図
【図１０】本実施例にかかる内部構造の要部の斜視図
【発明を実施するための形態】
【００１３】
以下、本発明の実施形態の一例を図面を参照して説明する。本発明の好適な一実施形態について、撮像装置に本発明を適用し、図面を参照しながら詳細に説明する。
【００１４】
尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１５】
図１は撮像装置本体１０１撮像装置本体１０１の主に上面構成を表す正面右側上方から見た斜視図、図２は撮像装置本体１０１の主に背面構成を表す背面左側上方から見た斜視図、図３は撮像装置本体１０１の主に底面構成を表す右側下方から見た斜視図である。
【００１６】
本図を用いて外観斜視図に表される各要素の機能を説明する。図１から図２に示す撮像装置本体１０１の正面側にはレンズ１０２が配置されている。レンズ１０２には、撮影者が回動することで撮影画像の光学的な拡大縮小を行うズームリング１０３が配置されている。また、レンズ１０２には、撮影者が回動することで、撮影画像の合焦位置を変動することができるフォーカスリング１０４が設けられている。
【００１７】
撮像装置本体１０１の右側面には、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１０５が配置されている。また、表示部２０２に表示される撮像装置本体１０１のさまざま状態を示すアイコンの表示／非表示を切り替える表示切替スイッチ１０６ａ、撮像装置本体１０１がマニュアルフォーカスモードになっている場合に、撮影者が押している間だけ一時的にオートフォーカスモードに切り替えることができるＡＦスイッチ１０６ｂが配置されている。
【００１８】
また、表示切替スイッチ１０６ａ、ＡＦスイッチ１０６ｂの後方には、外部記録装置や外部表示装置などとケーブル接続を行うための接続端子を覆う、着脱式のジャックカバー部１１０が配置されている。
【００１９】
図４はジャックカバー部１１０を取り外し、外部通信端子５０５が露出している状態を表した側面図である。撮影者はジャックカバー部１１０を取り外し、外部通信端子５０５が露出している状態であるカバー開状態にし、外部通信端子５０５ａ〜ｄに不図示の各種ケーブルを着脱することが可能となっている。また、外部通信端子５０５配置部の後方に、後述する強制空冷流路の排気口１１８が配置されており、排気口１１８は、表示部２０２のＹ方向の長さと一致する程度まで、大きく配置している。
【００２０】
図２に示す撮像装置本体１０１の左側面には、把持部回動軸２０１を中心に回動可能に取り付けられた把持部１０７が配置されている。把持部１０７は図２に示す把持部回動軸２０１を中心に矢印Ａ側に９０度、矢印Ｂ側に９０度回動するように構成されている。また、把持部回動軸２０１後方に、後述する強制空冷流路の吸気口１２０が配置されている。吸気口１２０は、図１に示す本体右側面に配置された排気口１１８と略同一の断面積を確保するよう、表示部２０２のＹ方向の長さと一致する大きさで配置している。
【００２１】
撮像装置本体１０１の上面には、入力された音声信号を電気信号に変換するマイク１０８が配置されている。マイク１０８の背面方向に隣接して、フラッシュや外部マイクなどのカメラアクセサリを装着可能なアクセサリ取付部１０９が配置されている。
【００２２】
撮像装置本体１０１の背面には、撮影者が撮像画像や再生画像の表示を行う表示部２０２が配置されている。表示部２０２は撮像装置本体１０１に対して回動可能に取り付けられており、撮影者が撮影状況に合わせて、表示部２０２の位置を任意に変えることができるように構成されている。
【００２３】
また、表示部２０２の底面側には、撮影者が撮影した撮影画像を記録するために着脱する記録媒体を被覆するためのカードカバー部２０３が配置されている。撮影者はカードカバー部２０３上に配置されたカードカバー操作ノブ２０４を操作することで、図２に示す、記録媒体挿入口２０７が被覆されている状態であるカバー閉状態から、図３に示す、記録媒体挿入口２０７が露出している状態であるカバー開状態にし、不図示のカード状記録媒体を脱着することが可能となっている。また、底面には三脚ネジ取り付け部１１５が配置されており、撮像装置本体１０１を一般的な３脚に固定することで、長時間の撮影など安定した状態で撮影を行うことが出来るようになっている。
【００２４】
図５、図６は本発明の実施例にかかる撮像装置の内部構造を示す分解斜視図である。図５は本発明の実施例にかかる撮像装置のセンサ基板３０３周囲の構成を表す斜視図である。また、図６は撮像装置の放熱に関わる、特に前方部分の内部構造を示す分解斜視図であり、図６（ａ）は前方からの斜視図であり、図６（ｂ）は後方からの斜視図である。
【００２５】
本実施例の撮像装置は、レンズ１０２後方のピント面に撮像素子３０１が配置されている。撮像素子３０１は受光面に結像された被写体の像を電子データに変換するものである。被写体の結像面には、不図示のＲ色、Ｇ色、Ｂ色の色のみをそれぞれ透過する色フィルタが設けられており、撮像素子３０１に入射した光を、Ｒ色、Ｇ色、Ｂ色の電子データに変換するものである。
【００２６】
図５に示すように、撮像素子３０１はセンサ基板３０３に実装され、撮像素子３０１の外周に接着材３０４を塗布することによって、センサ固定板金３０２に固定されている。センサ基板３０３には、レンズ側の面に撮像素子３０１が実装されているが、図６に示すように、センサ基板３０３の背面である撮像素子３０１実装部の対向面３０３ｂは銅箔パターンが露出した状態となっている。
【００２７】
図５に示すように、センサ基板３０３は、センサ固定板金３０２を介してレンズ１０２にビス締結される。また、センサ基板３０３は、フレキシブルに屈曲する屈曲部３０３ｃを有しており、コネクタ３０５によって、後述するメイン基板と電気的な接続がなされる。
【００２８】
図６に示すように、センサ基板３０３と一体となったレンズ１０２は、ベース部材４０５に固定される。ベース部材４０５は、熱伝導性の高いアルミダイキャストで形成されている。
【００２９】
図７はベース部材の構造を表した斜視図である。ベース部材４０５の形状は、レンズ１０２周囲を円弧状に囲うように形成された放熱部４０５ｅを主の形状とした、チューブ状の形状となっている。すなわち、中央部が開口した形状となっている。
【００３０】
チューブ状の形状から内側に張りだすように、レンズ１０２の固定部４０５ａ〜ｄが配置され、不図示のビスによって、レンズ１０２との締結が行われる。また、チューブ状の形状から張りだすように、把持部回動軸２０１の固定部４０５ｆと、底面の三脚ネジ取り付け部１１５の固定部４０５ｇが一体的に形成されている。また、ベース部材４０５の底面側に記録媒体の放熱部４０５ｈを設け、ベース部材４０５の左右に、後述する撮像素子３０１の放熱板金の放熱板金との接続部４０５ｉ、ｊが設けられている。さらに、ベース部材４０５の底面側には、後述する記録媒体の放熱部４０５ｈを設けている。
【００３１】
図６に示すように、センサ基板３０３はレンズ１０２と一体化され、さらにベース部材４０５と一体化された状態でセンサ基板後方に位置するようベース部材４０５に固定された放熱板金３０６と、放熱用の弾性部材３０７を介して熱的に接続がなされる。
【００３２】
放熱板金３０６は、銅等の熱伝導率が高い材料で形成されており、ベース部材４０５と熱的に接続がされている。本実施例では、センサ基板３０３の撮像素子３０１実装部の対向面を銅箔パターンが露出した状態としている為、撮像素子３０１の熱を効率的に放熱用の弾性部材３０７に伝達することが出来る。円弧状に囲うように形成された放熱部４０５ｅの外周には、熱伝導性の高いアルミで形成された外装リング部材２０５が配設されている。また、ベース部材４０５後方に固定された放熱板金３０６のさらに後方には、後述するホールド部材７０が配置され、ホールド部材７０のさらに後方はメイン基板５０が配置されている。
【００３３】
撮像素子３０１は一般的に高温になるほど性能が低下するため、撮像素子で発生した熱を放散する必要がある。本実施例の構成により、撮像素子３０１で発生した熱は、放熱用の弾性部材３０７を介して放熱板金３０６に熱伝導され、ベース部材４０５の、レンズ周囲を円弧状に囲うように形成された放熱部４０５ｅにて熱拡散されたのち、外装リング部材２０５を介して外気への熱伝達によって放熱される。また、底面のベース部材４０５の固定部４０５ｇから三脚ネジ取り付け部１１５へ熱伝導を行うことで、より放熱性を高めることが出来る。
【００３４】
図８は撮像装置のメイン基板５０の放熱に関わる、特に本体後方部分の内部構造を示す分解斜視図である。図８に示すように、センサ基板３０３の屈曲部３０３ｃがメイン基板５０に電気的に接続されている。これにより、撮像素子３０１から出力された電子データを、メイン基板５０に送信することが可能となっている。メイン基板５０の背面側には、制御ＩＣ５０１が実装されており、制御ＩＣ５０１は、ＣＰＵ(Central Processing Unit)とプログラムメモリが一体となってパッケージされている。また、メイン基板５０には、ワークメモリ５０２が実装されている。
【００３５】
制御ＩＣ５０１には、制御に必要な各種データ等が格納されており、ワークメモリ５０２は、各種の演算処理等を行う際の作業エリアとして利用される。制御ＩＣ５０１は、所定の制御プログラムをワークメモリ５０２にロードして実行することにより、自動露出演算、自動焦点調節演算、ホワイトバランス調整演算などの各種演算処理を実行し、表示部２０２にスルー画を表示させたり、記録媒体挿入口２０７に挿入された記録媒体２０６に送って記録するなどビデオカメラ全体動作を制御する。このような電気的な処理を行う際に、制御ＩＣ５０１は発熱を伴い電力を消費するため、制御ＩＣ５０１自体と、ワークメモリ５０２の放熱が必要となる。そのため本実施例の構成では、制御ＩＣ５０１と、ワークメモリ５０２の放熱の為、メイン基板５０の後方には、ダクト６０１とファン６０２から成る強制空冷流路が配置されている。
【００３６】
また、本実施例の撮像装置本体１０１は、底面に記録媒体挿入口２０７が配置されている。記録媒体２０６は前述の記録動作時に発熱するため、図８に示すように、弾性部材４０６を介してベース部材４０５と熱的に接続することで、本体底面側に配置され記録媒体２０６の放熱を行っている。すなわち、図７に示すように、ベース部材４０５の記録媒体の放熱部４０５ｈと記録媒体挿入口２０７を、弾性部材４０６を介して接続することで、記録媒体２０６を冷却している。ベース部材４０５の記録媒体の放熱部４０５ｈは、放熱板金との接続部４０５ｉ、ｊと略９０°位相をずらして配置することで、撮像素子３０１への熱の流入に配慮している。
【００３７】
図９は強制空冷流路の構成を表す分解斜視図である。図９（ａ）は前方向から見た図である。図９（ｂ）は後方から見た図である。ダクト６０１は熱伝導性の高いアルミダイキャストで形成されている。メイン基板５０に実装された制御ＩＣ５０１とワークメモリ５０２は、放熱用弾性部材６０５ａ、ｂを介してダクト６０１に熱的に接続されている。これにより、制御ＩＣ５０１やワークメモリ５０２によるメイン基板５０の発熱を、ダクト６０１全体に熱拡散させることで、制御ＩＣ５０１と、ワークメモリ５０２の放熱を行うことが可能となっている。
【００３８】
本実施例において、ダクト６０１の後方に配置されたファン６０２は、遠心ファンである。すなわち、ファン６０２が動作することで、ファンの回転軸に対し垂直な面に設けられた中央の開口６０２ｂから吸気し、ファン６０２側面の長方形形状のファン排気口６０２ａから排気する構造となっている。ダクト６０１内部にはリブ６０１ｂが形成されている。また、ダクト６０１とファン６０２の間には、カバー部材６０３と、クッション部材６０４が配置され、ダクト６０１とファン６０２の間は、ファン中央の開口６０２ｂのみで空気流通路が形成するように、一体化される。
【００３９】
ダクト６０１の吸気口６０１ａは、図２に示す外装の吸気口１２０と接続され、ダクト６０１の吸気口６０１ａは、図１に示す排気口１１８と接続し、ダクト６０１とファン６０２によって形成される流路が、機器内部で独立するよう構成している。すなわち、装置本体の内部とは連通しない空気流通路を形成している。ダクト６０１内部にはリブ６０１ｂが形成されており、制御ＩＣ５０１の発熱をダクト６０１全体に熱拡散させた後、熱をリブ６０１ｂから強制空冷流路を流れる空気に伝達し、温まった空気を撮像装置本体１０１から外部に排熱する。これにより、本実施例の強制空冷流路は、ファン６０２の回転により、ダクト６０１の吸気口６０１ａから外気を吸気し、ファン排気口６０２ａから排気を行うものとなっている。また、ファン排気口６０２ａを撮像装置本体１０１の右側面に向けることで、グリップ時、左の手のひらで把持する部分である、本体右側面側の最も後方にファン排気口６０２ａを配置する構成としている。
【００４０】
図６に示すように、メイン基板５０とセンサ基板３０３の間には、ベース部材４０５、ダクト６０１と比較して熱伝導率が低い樹脂にて形成されたホールド部材７０が配置されている。ホールド部材７０は、メイン基板５０とセンサ基板３０３の間に位置する面で、チューブ状に形成されたベース部材４０５の開口と、放熱板金３０６を覆うように配置される。
【００４１】
図１０はホールド部の構成を表す斜視図である。特に、図１０（ａ）は機器後方側の、メイン基板５０側から見た斜視図であり、図１０（ｂ）は機器前方側の、センサ基板３０３側から見た斜視図である。ホールド部材７０の、メイン基板５０、センサ基板３０３と並行な面には、空気層を有する断熱部７０２が設けられている。断熱部７０２は、格子状のリブによって、リブの凹部に空気層が形成されるよう構成されており、メイン基板５０とセンサ基板３０３の間の熱隔壁として機能する。
【００４２】
図６に示すようにメイン基板５０前面側には、外部通信端子５０５が実装されている。すなわち、メイン基板５０の、ダクト６０１の配置面の対向面に、外部通信端子５０５が実装されている。外部通信端子５０５には、ユーザによるケーブル接続がなされた状態で、メイン基板５０から引き剥がす方向、基板面に対して垂直な方向のコジリ力が印可される場合がある。これにより、外部通信端子５０５が破壊する恐れがある。
【００４３】
図１０に示すように、本実施例のホールド部材７０には、メイン基板５０に実装された外部通信端子５０５ａ〜ｃを囲うように形成した外部通信端子保護部７０１ａ〜ｃが形成されており、外部通信端子５０５への外力を受け止めるように働くことで、外部通信端子５０５の破壊を防止している。
【００４４】
また、図１０に示すように、メイン基板５０の外部通信端子保護部７０１付近に、メイン基板５０とのビス締結部７０３ｂ〜ｃを配置することで、外部通信端子５０５の保護を強固に行っている。このように、本実施例の構成では、ホールド部材７０にメイン基板５０をビスによって締結固定し、ホールド部材７０とベース部材４０５を、ビスによって締結固定する。これにより、メイン基板５０とベース部材４０５が直接締結されることによる、メイン基板５０からベース部材４０５への熱経路を遮断し、メイン基板５０の熱が、ベース部材４０５を介してセンサ基板３０３に回り込むことを防止している。
【００４５】
このように構成することによって、撮像装置の小型化を維持しつつ、撮像素子３０１で発生した熱を効率よく外装に放散するとともに、メイン基板５０で発生する熱が撮像素子３０１に伝わりにくくすることが可能となる。
【００４６】
また、これらの構成により、大型の放熱ダクト吸排気口を後方に配置することが可能となるため、左手の平で機器を下側から支えながら、左手の親指と中指でリング操作を行う把持スタイルにて撮影を行う場合においても、把持している手で吸排気口を塞ぐ懸念を回避することが出来る。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４８】
１０１  撮像装置本体、１０２  レンズ、１０３  ズームリング、
１０４  フォーカスリング、１０５  フォーカス切替スイッチ、
１０６ａ  表示切替スイッチ、１０６ｂ  ＡＦスイッチ、１０７  把持部、
１０８  マイク、１０９  アクセサリ取付部、１１０  ジャックカバー部、
１１５  三脚ネジ取り付け部、１１８  排気口、１２０  吸気口、
２０１  把持部回動軸、２０２  表示部、２０３  カードカバー部、
２０４  カードカバー操作ノブ、２０５  外装リング部材、２０６  記録媒体、
２０７  記録媒体挿入口、３０１  撮像素子、３０２  センサ固定板金、
３０３  センサ基板、３０３ｃ  屈曲部、３０４  接着材、３０５  コネクタ、
３０６  放熱板金、３０７  放熱用の弾性部材、４０５  ベース部材、
４０５ａ〜ｄ  固定部、４０５ｅ  円弧状に囲うように形成された放熱部、
４０５ｆ  固定部、４０５ｇ  固定部、４０５ｈ  記録媒体の放熱部、
４０５ｉ  放熱板金との接続部、４０６  弾性部材、５０  メイン基板、
５０１  制御ＩＣ、５０２  ワークメモリ、５０５  外部通信端子、６０１  ダクト、
６０１ａ  吸気口、６０１ｂ  リブ、６０２  ファン、６０２ａ  ファン排気口、
６０２ｂ  中央の開口、６０３  カバー部材、６０４  クッション部材、
６０５  放熱用弾性部材、７０  ホールド部材、７０１  外部通信端子保護部、
７０２  断熱部、７０３  ビス締結部
【図１】
2016133690.tif 000003
【図２】
2016133690.tif 000004
【図３】
2016133690.tif 000005
【図４】
2016133690.tif 000006
【図５】
2016133690.tif 000007
【図６】
2016133690.tif 000008
【図７】
2016133690.tif 000009
【図８】
2016133690.tif 000010
【図９】
2016133690.tif 000011
【図１０】
2016133690.tif 000012